(57)【要約】【課題】供給電流の大電流化に対応することができ、かつ、二次電池の異常発熱時に給電を確実に停止することができる保護機能付きのバッテリ装置を提供するすること。【解決手段】並列接続された２個の二次電池１を直列に複数組接続することによって電池群２を構成し、この電池群２に電流ヒューズ３を直列接続すると共に、これら電池群２と電流ヒューズ３との直列回路にノーマルオープン型熱応動スイッチ４を並列に接続した。このように構成されたバッテリ装置の保護回路によれば、電池群２のいずれかの二次電池１が異常発熱したときに、ノーマルオープン型熱応動スイッチ４がこの発熱を検知してスイッチオン状態に切り替わり、電池群２と電流ヒューズ３およびオン動作したノーマルオープン型熱応動スイッチ４とで閉回路が形成されるため、この閉回路を流れる電池群２からの短絡電流Ｉによって電流ヒューズ３を溶断して各二次電池１からの給電を確実に停止することができる。【選択図】      図１
2004311350.tif 000002
【特許請求の範囲】
【請求項１】
複数の二次電池からなる電池群と、この電池群に直列に接続された電流ヒューズと、これら電池群と電流ヒューズとの直列回路に並列に接続され、前記二次電池の発熱によって閉動作するノーマルオープン型熱応動スイッチとを備え、
前記二次電池の発熱によって前記ノーマルオープン型熱応動スイッチが閉路したときに、前記電池群から該ノーマルオープン型熱応動スイッチを流れる短絡電流によって前記電流ヒューズが溶断するように構成したことを特徴とするバッテリ装置。
【請求項２】
請求項１の記載において、前記電流ヒューズを前記ノーマルオープン型熱応動スイッチと共通のハウジング内に収納してユニット化したことを特徴とするバッテリ装置。
【請求項３】
請求項１または２の記載において、前記電池群が並列に接続された複数の二次電池を有していることを特徴とするバッテリ装置。
【請求項４】
請求項３の記載において、前記電池群の並列接続された二次電池に、前記ノーマルオープン型熱応動スイッチの動作温度よりも低い温度で開動作するノーマルクローズ型熱応動スイッチをそれぞれ直列に接続したことを特徴とするバッテリ装置。
【請求項５】
請求項１〜４のいずれかに記載のバッテリ装置を電源として備えたことを特徴とする携帯機器。
【発明の詳細な説明】
【０００１】
【発明の属する技術分野】
本発明は、複数の二次電池を備えたバッテリ装置とこのバッテリ装置を用いた携帯機器に係り、特に、二次電池が異常発熱しても支障をきたさないように配慮した保護装置の改良に関する。
【０００２】
【従来の技術】
ニッケル水素電池やリチウムイオン電池等の二次電池は放電状態の電池を充電することによって繰り返し使用できる電池であり、このような二次電池を直列または並列に接続した電池群を備えたバッテリ装置は、ノート型パソコンやビデオカメラ等の携帯機器の電源として広く用いられている。
【０００３】
従来より、この種のバッテリ装置において、直列接続された複数の二次電池にノーマルクローズ型の熱応動スイッチを直列に接続することにより、二次電池が異常発熱した場合の安全対策用の保護装置としたものが知られている（例えば、特許文献１参照）。ここで、熱応動スイッチは、熱膨張係数の異なる金属板を複数枚接合してなるバイメタル片等の熱応動素子を備え、このバイメタル片を片持ち梁状にハウジングに取り付けると共に、バイメタル片の自由端部に固設された可動接点をハウジングに固設された固定接点と接離可能に対向させたものである。
【０００４】
上記特許文献１に開示されたバッテリ装置の保護装置では、ノーマルクローズ型の熱応動スイッチが直列接続された一対の二次電池間に介設されており、各二次電池が正常に機能して所定温度以下のとき、ノーマルクローズ型の熱応動スイッチはバイメタル片によって可動接点が固定接点に押し付けられことによりスイッチオン状態に保たれているので、この熱応動スイッチを介して各二次電池から携帯機器等へ給電することができる。また、いずれかの二次電池が劣化等の要因で異常発熱して所定温度を超えると、バイメタル片が反転して可動接点が固定接点から離れ、ノーマルクローズ型の熱応動スイッチがスイッチオフ状態に切り替わるため、各二次電池からの給電が遮断されて携帯機器等を保護することができる。
【０００５】
【特許文献１】
特許２６３６６１５号公報（第２−３頁、図４）
【０００６】
【発明が解決しようとする課題】
ところで近年、ノート型パソコン等の携帯機器に必要とされる電圧は増加する傾向にあり、それに伴ってバッテリ装置から携帯機器への供給電流を大きくしたいという要望がある。しかしながら、前述した従来のバッテリ装置では、複数の二次電池を直列接続した電池群にノーマルクローズ型の熱応動スイッチを直列に接続してあるため、電池群からの供給電流が例えば１０Ａを越える程度まで大きくなると、各二次電池が正常に機能して異常発熱していない場合でも、電池群からの大きな供給電流がノーマルクローズ型の熱応動スイッチの可動接点と固定接点間およびバイメタル片（またはトリメタル片）を流れ、その時に発生するジュール熱によってノーマルクローズ型の熱応動スイッチがスイッチオフ状態に不所望に開動作してしまい、供給電流の大電流化に対応できないという問題があった。
【０００７】
本発明は、このような従来技術の実情に鑑みてなされたもので、その目的は、供給電流の大電流化に対応することができ、かつ、二次電池の異常発熱時に給電を確実に停止することができる保護機能付きのバッテリ装置およびこのバッテリ装置を用いた携帯機器を提供するすることにある。
【０００８】
【課題を解決するための手段】
上述した目的を達成するため、本発明のバッテリ装置では、複数の二次電池からなる電池群と、この電池群に直列に接続された電流ヒューズと、これら電池群と電流ヒューズとの直列回路に並列に接続され、前記二次電池の発熱によって閉動作するノーマルオープン型熱応動スイッチとを備え、前記二次電池の発熱によって前記ノーマルオープン型熱応動スイッチが閉路したときに、前記電池群から該ノーマルオープン型熱応動スイッチを流れる短絡電流によって前記電流ヒューズが溶断するように構成した。
【０００９】
このように構成されたバッテリ装置においては、大電流を流すことのできる電流ヒューズが複数の二次電池からなる電池群に直列に接続してあるので、供給電流の大電流化に対応することが可能となり、また、電池群のいずれかの二次電池が異常発熱したときに、ノーマルオープン型熱応動スイッチを閉路させて該熱応動スイッチと電流ヒューズおよび電池群とで閉回路を形成し、この閉回路を流れる電池群からの短絡電流によって電流ヒューズを溶断するようにしたので、二次電池の異常発熱時に給電を確実に停止することができる。
【００１０】
上記の構成において、電流ヒューズとノーマルオープン型熱応動スイッチは別々の回路素子で構成しても良いが、この電流ヒューズをノーマルオープン型熱応動スイッチと共通のハウジング内に収納してユニット化すると、バッテリ装置の構成部品を削減できると共に生産性を向上できて好ましい。
【００１１】
また、上記の構成において、電池群が並列に接続された複数の二次電池を有していることが好ましく、この場合、電池群の並列接続された二次電池に、ノーマルオープン型熱応動スイッチの動作温度よりも低い温度で開動作するノーマルクローズ型熱応動スイッチをそれぞれ直列に接続する構成にすると、二次電池の一時的な異常発熱に対してノーマルクローズ型熱応動スイッチが開動作するため、継続してバッテリ装置を使用することが可能となり、万一、ノーマルクローズ型熱応動スイッチが溶着等の原因で正常に開動作しない場合も、電池群からノーマルオープン型熱応動スイッチを流れる短絡電流によって電流ヒューズが溶断するため、二次電池の異常発熱時に給電を確実に停止することができる。
【００１２】
また、ノート型パソコン等の携帯機器に上記のごとく構成されたバッテリ装置を電源として使用すると、二次電池の不具合に起因する携帯機器の故障を防止できて好ましい。
【００１３】
【発明の実施の形態】
発明の実施の形態について図面を参照して説明すると、図１は本発明の第１実施形態例に係るバッテリ装置の保護回路を示すブロック図（回路図）、図２は該バッテリ装置の保護回路に備えられる電流ヒューズとノーマルオープン型熱応動スイッチの素子ユニットを示す外観図、図３は該素子ユニットの上ケースを取り除いた平面図、図４は該素子ユニットに備えられるトリメタル片が反転する前の状態を示す断面図、図５は該トリメタル片が反転した状態を示す断面図である。
【００１４】
本実施形態例に係るバッテリ装置は、図示せぬノート型パソコン等の携帯機器の電源として使用されるもので、図１に示すように、複数の二次電池１からなる電池群２と、この電池群２に直列に接続された電流ヒューズ３と、これら電池群２と電流ヒューズ３との直列回路に並列に接続されたノーマルオープン型熱応動スイッチ４とを備えている。そして、一対の外部端子Ｔ１，Ｔ２を介してバッテリ装置が図示せぬ携帯機器と接続され、この携帯機器へ電池群２から給電可能とされている。二次電池１はニッケル水素電池やリチウムイオン電池等の電池であり、電池群２は並列接続された２個の二次電池１を直列に複数組接続することによって構成されている。電流ヒューズ３は規定値以上の電流によって溶断するものであり、本実施形態例の場合、１５Ａ程度の大電流で溶断する電流ヒューズ３を用いている。ノーマルオープン型熱応動スイッチ４は二次電池１の発熱を検出してスイッチオン状態に切り替わる常開スイッチであり、本実施形態例の場合、スイッチオフからスイッチオン状態に切り替わる動作温度が９０℃のノーマルオープン型熱応動スイッチ４を用いている。
【００１５】
図２〜図４に示すように、電流ヒューズ３とノーマルオープン型熱応動スイッチ４は１つの素子ユニット５として一体化されており、この素子ユニット５は、下ケース６および上ケース７を組み合わせてなる合成樹脂製のハウジング８と、下ケース６の成形時に一体化された良導電性の金属板９，１０と、上ケース７の成形時に一体化された良導電性の金属板１１と、中間層を熱膨張係数の異なる２枚の金属板で挟んで積層接合してなるトリメタル片（中間層を省略したバイメタル片を含む）１２と、このトリメタル片１２の自由端部にかしめ固定された良導電性の可動接点部材１３と、トリメタル片１１の固定端側に形成された狭小部１４とによって概略構成されている。この狭小部１４は電流ヒューズ３を構成するものであり、ノーマルオープン型熱応動スイッチ４は電流ヒューズ３を除く各部によって構成されている。なお、金属板９〜１１は例えばリン青銅や黄銅等からなり、可動接点部材１３は例えば銅・ニッケル合金や銀酸化錫等からなる。また、トリメタル片１２は例えば中間層としての銅板を銅・ニッケル・マンガン合金とニッケル・鉄合金という熱膨張係数の異なる２枚の金属板で挟んで積層接合したものからなり、その中央部には反転動作を確実に行わせるためのドーム状反転部１２ａが形成されている。トリメタル片１２の金属積層体の全体の板厚は各金属板９〜１１よりも薄く設定されており、このように薄肉のトリメタル片１２に狭小部１４を形成して電流ヒューズ３としているため、電流ヒューズ３を規定電流で溶断するのに必要な寸法設定が容易となっている。
【００１６】
金属板９は、下ケース６の内底面に露出する段付き状の座部９ａと、下ケース６の外方へ突出する第１の端子９ｂと、下ケース６に埋設された傾斜部９ｃとを有する。金属板１０は、下ケース６の内底面に露出する平坦部１０ａと、下ケース６の外方へ突出する第３の端子１０ｂとを有しており、この平坦部１０ａはトリメタル片１２に形成された狭小部１４と所定間隔を存して対向している。金属板１１は、上ケース７の天井面に露出する固定接点１１ａと、上ケース７の外方へ突出する第２の端子１１ｂと、上ケース７に埋設された図示せぬ傾斜部とを有する。トリメタル片１２の固定端部は下ケース６の内部でスポット溶接等によって座部９ａに固定されており、トリメタル片１２の狭小部１４から下ケース６の外部に導出する端部はスポット溶接等によって第３の端子１０ｂに固定されている。また、トリメタル片１２の自由端部は対向する下ケース６の内底面と固定接点１１ａとの間で変位可能（揺動可能）であり、可動接点部材１３はこの固定接点１１ａと接離可能である。
【００１７】
なお、図２に示すように、第１の端子９ｂと第３の端子１０ｂは下ケース６から互いに直交する方向に導出されており、第２の端子１１ｂは第３の端子１０ｂと逆向きに上ケース７から導出されている。これにより、３つの端子９ｂ，１０ｂ，１１ｂがハウジング３から全て異なる向きに導出されることになり、素子ユニット５（電流ヒューズ３とノーマルオープン型熱応動スイッチ４）を図１に示すバッテリ装置の保護回路に接続する場合の作業性が向上すると共に、この保護回路に必要とされる回路素子の数や取付面積（専有面積）を削減することができる。また、トリメタル片１２の固定端部と狭小部１４の導出端部に接続される第１の端子９ｂと第３の端子１０ｂとが下ケース６の異なる辺から互いに直交する向きに延出されていることから、これら端子９ｂ，１０ｂをインサート成形により下ケース６と一体化する場合、同じフープ材からなる金属材料にて２つの端子９ｂ，１０ｂを加工することができ、生産性に優れたものとなる。さらに、第２の端子１１ｂには曲げ加工が施されており、第１の端子９ｂと第２の端子１１ｂおよび第３の端子１０ｂの下面が全て同一平面上に位置するように構成されており、これにより、電流ヒューズ３とノーマルオープン型熱応動スイッチ４が一体化された素子ユニット５を表面実装部品として使用することも可能となっている。
【００１８】
次に、本実施形態例に係るバッテリ装置の保護回路の動作について説明すると、図１に示す電池群２と図２〜図４に示す素子ユニット５との接続関係は、第３の端子１０ｂが電池群２の正極に接続され、第２の端子１１ｂが電池群２の負極および外部端子Ｔ２に接続され、第１の端子９ｂがバッテリ装置の外部端子Ｔ１に接続されており、これら電池群２と素子ユニット５は図示せぬバッテリパック内に収納されている。
【００１９】
そして、トリメタル片１２が所定温度以下のノーマル状態（通常の使用状態）では、図４に示すように、可動接点部材１３が下ケース６の内底面に当接して固定接点１１ａから離反しているため、第３の端子１０ｂ（および第１の端子９ｂ）と第２の端子１１ｂとは導通されておらず、ノーマルオープン型熱応動スイッチ４はスイッチオフ状態に維持されている。すなわち、図１に示すバッテリ装置の保護回路において、電池群２の各二次電池１に何ら異常が見られずに、バッテリ装置を電源とする携帯機器に電池群２から電流が供給されている場合、ノーマルオープン型熱応動スイッチ４は開路されているため、電池群２に直列に接続された電流ヒューズ３には規定値よりも十分に小さい電流（例えば１０Ａ以下）が流れ、電流ヒューズ３は溶断することはない。
【００２０】
しかるに、いずれかの二次電池１に異常が発生し、バッテリパックの温度がノーマルオープン型熱応動スイッチ４の動作温度である９０℃まで上昇すると、図５に示すように、トリメタル片１２が反転するため、可動接点部材１３が下ケース６の内底面から離れて固定接点１１ａに当接する。つまり、第３の端子１０ｂ（および第１の端子９ｂ）と第２の端子１１ｂとがトリメタル片１２を介して導通された状態となるので、ノーマルオープン型熱応動スイッチ４がスイッチオン状態に切り替わる。したがって、図１に示すバッテリ装置の保護回路において、電池群２と電流ヒューズ３およびオン動作したノーマルオープン型熱応動スイッチ４とで閉回路が形成され、この閉回路を流れる電池群２からの短絡電流Ｉによって電流ヒューズ３に規定値（例えば１５Ａ）以上の電流が流れるため、この短絡電流Ｉにより電流ヒューズ３が溶断して各二次電池１から携帯機器への給電が停止される。
【００２１】
このように本実施形態例に係るバッテリ装置は、複数の二次電池１からなる電池群２に電流ヒューズ３を直列に接続し、これら電池群２と電流ヒューズ３との直列回路にノーマルオープン型熱応動スイッチ４を並列に接続したので、電池群２のいずれかの二次電池１が異常発熱したときに、この発熱によってノーマルオープン型熱応動スイッチ４を閉路させることにより、該熱応動スイッチ４を流れる電池群１からの短絡電流Ｉによって電流ヒューズ３を溶断することができる。したがって、いずれかの二次電池１が異常発熱したときに、各二次電池１からの給電を確実に停止することができるばかりでなく、このバッテリ装置を電源とする携帯機器への供給電流が例えば１０Ａ程度まで大きくなったとしても、１０Ａ以上の規定電流値（例えば１５Ａ）で溶断する電流ヒューズ３を使用することにより、携帯機器の大電流化に容易に対応することが可能となる。また、電流ヒューズ３とノーマルオープン型熱応動スイッチ４とを共通のハウジング８内に収納して素子ユニット５となしたので、バッテリ装置の構成部品を削減できると共に生産性を向上することができる。
【００２２】
図６は本発明の第２実施形態例に係るバッテリ装置の保護回路を示すブロック図（回路図）、図７は該バッテリ装置の保護回路に備えられるノーマルクローズ型熱応動スイッチのトリメタル片が反転する前の状態を示す断面図、図８は該トリメタル片が反転した状態を示す断面図であり、図１〜図５に対応する部分には同一符号を付してある。
【００２３】
図６に示すバッテリ装置の保護回路が前述した第１実施形態例と相違する点は、電池群２の並列接続された２個の二次電池１にそれぞれノーマルクローズ型熱応動スイッチ１５を直列に接続したことにあり、それ以外の構成は基本的に同じである。このノーマルクローズ型熱応動スイッチ１５は二次電池１の発熱を検出してスイッチオフ状態に切り替わる常閉スイッチであるが、電池群２と電流ヒューズ３との直列回路に並列接続されたノーマルオープン型熱応動スイッチ４の動作温度よりも低い温度で開動作するノーマルクローズ型熱応動スイッチ１５が用いられている。本実施形態例の場合、ノーマルオープン型熱応動スイッチ４の動作温度が９０℃であるのに対し、ノーマルクローズ型熱応動スイッチ１５の動作温度が８０℃に設定されている。なお、本実施形態例では、電池群２の正極端に位置する２個の二次電池１にそれぞれノーマルクローズ型熱応動スイッチ１５を直列接続してあるが、それ以外の並列接続された２個の二次電池１にノーマルクローズ型熱応動スイッチ１５を直列接続しても良く、あるいは、並列接続された３個以上の二次電池１にそれぞれノーマルクローズ型熱応動スイッチ１５を直列接続しても良い。
【００２４】
図７に示すように、このノーマルクローズ型熱応動スイッチ１５は、下ケース１６および上ケース１７を組み合わせてなる合成樹脂製のハウジング１８と、下ケース１６の成形時に一体化された良導電性の金属板１９，２０と、中間層を熱膨張係数の異なる２枚の金属板で挟んで積層接合してなるトリメタル片（中間層を省略したバイメタル片を含む）２１と、このトリメタル片２１の自由端部にかしめ固定された良導電性の可動接点部材２２とによって概略構成されている。金属板１９，２０とトリメタル片２１および可動接点部材２２の材料は前述したノーマルオープン型熱応動スイッチ４の対応する各部と基本的に同じであり、トリメタル片２１の中央部には反転動作を確実に行わせるためのドーム状反転部２１ａが形成されている。また、金属板１９は下ケース１６の内底面に露出する段付き状の座部１９ａと、下ケース１６の外方へ突出する第１の端子１９ｂと、下ケース１６に埋設された傾斜部１９ｃとを有する。金属板２０は、下ケース１６の内底面に露出する固定接点２０ａと、下ケース１６の外方へ突出する第２の端子２０ｂと、下ケース１６に埋設された傾斜部２０ｃとを有する。トリメタル片２１の固定端部は下ケース１６の内部でスポット溶接等によって座部１９ａに固定されており、トリメタル片２１の自由端部は対向する固定接点２０ａと上ケース１７の天井面との間で変位可能（揺動可能）であり、可動接点部材２２はこの固定接点２０ａと接離可能である。
【００２５】
このように構成されたバッテリ装置の保護回路において、電池群２の各二次電池１に何ら異常が見られずに外部端子Ｔ１，Ｔ２を介して電池群２から図示せぬ携帯機器へ給電されている場合、ノーマルクローズ型熱応動スイッチ１５が閉路されると共に、ノーマルオープン型熱応動スイッチ４が開路されているため、電池群２に直列接続された電流ヒューズ３には規定値よりも十分に小さい電流が流れ、電流ヒューズ３は溶断することはない。ここで、ノーマルクローズ型熱応動スイッチ１５は電池群２の並列接続された二次電池１にそれぞれ直列接続されているため、電池群２から携帯機器への供給電流が例えば１０Ａを越える程度まで大きくなったとしても、各ノーマルクローズ型熱応動スイッチ１５に流れる供給電流は大幅に小さくなり、供給電流の大電流化に対応することができる。ちなみに、本実施形態例の場合、並列接続された２個の二次電池１にそれぞれノーマルクローズ型熱応動スイッチ１５が直列接続されているため、要求される供給電流が１０Ａであっても、各ノーマルクローズ型熱応動スイッチ１５に流れる供給電流は半分の５Ａで済み、通常の使用時に発生するジュール熱によってノーマルクローズ型熱応動スイッチ１５が誤動作することはない。
【００２６】
しかるに、いずれかの二次電池１に一時的な異常が発生し、バッテリパックの温度がノーマルクローズ型熱応動スイッチ１５の動作温度である８０℃まで上昇すると、図８に示すように、トリメタル片２１が反転し、可動接点部材２２が固定接点２０ａから離れて上ケース１７の天井面に当接するため、ノーマルクローズ型熱応動スイッチ１５はスイッチオフ状態に切り替わる。その際、ノーマルクローズ型熱応動スイッチ１５の動作温度（８０℃）がノーマルオープン型熱応動スイッチ４の動作温度（９０℃）よりも低く設定されているため、ノーマルオープン型熱応動スイッチ４はスイッチオフ状態に維持されたままである。したがって、図６に示すバッテリ装置の保護回路において、電池群２と電流ヒューズ３との直列回路がノーマルクローズ型熱応動スイッチ１５によって開路され、各二次電池１（電池群２）からの給電が停止される。
【００２７】
そして、二次電池１に一時的な異常を発生させていた原因が解消されると、バッテリパックが通常温度に低下するため、所定温度以下になった時点でトリメタル片２１が逆方向へ反転し、図７に示すように、可動接点部材２２が上ケース１７の天井面から離れて固定接点２０ａに当接する。すなわち、ノーマルクローズ型熱応動スイッチ１５がスイッチオフからスイッチオン状態へと切り替わるため、各二次電池１からの給電が再び可能となり、継続してバッテリ装置を使用することができる。
【００２８】
また、各ノーマルクローズ型熱応動スイッチ１５の一方または両方が溶着等の原因で正常に開動作しないと、いずれかの二次電池１に異常が発生してノーマルクローズ型熱応動スイッチ１５の動作温度である８０℃に達しても、電池群２と電流ヒューズ３との直列回路は閉路されたままとなる。このような場合、バッテリパックの温度がノーマルオープン型熱応動スイッチ４の動作温度である９０℃まで上昇した時点で、前述した第１実施形態例と同様に、ノーマルオープン型熱応動スイッチ４がスイッチオン状態に切り替わる。したがって、図６に示すバッテリ装置の保護回路において、電池群２と電流ヒューズ３およびオン動作したノーマルオープン型熱応動スイッチ４とで閉回路が形成され、この閉回路を流れる電池群２からの短絡電流Ｉによって電流ヒューズ３に規定値以上の電流が流れるため、万一、いずれかのノーマルクローズ型熱応動スイッチ１５に動作不良が発生したとしても、電流ヒューズ３を溶断して各二次電池１からの給電を確実に停止することができ、よって、携帯機器本体の故障を防止することができる。
【００２９】
なお、上記各実施形態例では、電流ヒューズ３とノーマルオープン型熱応動スイッチ４をユニット化した素子ユニット５を用いた場合について説明したが、これら電流ヒューズ３とノーマルオープン型熱応動スイッチ４を別々の回路素子で構成しても良い。
【００３０】
【発明の効果】
本発明は、以上説明したような形態で実施され、以下に記載されるような効果を奏する。
【００３１】
電池群のいずれかの二次電池が異常発熱したときに、ノーマルオープン型熱応動スイッチを閉路させて該熱応動スイッチと電流ヒューズおよび電池群とで閉回路を形成し、この閉回路を流れる電池群からの短絡電流によって電流ヒューズを溶断するようにしたので、供給電流の大電流化に対応することができ、かつ、二次電池の異常発熱時に給電を確実に停止することができる。
【図面の簡単な説明】
【図１】本発明の第１実施形態例に係るバッテリ装置の保護回路を示すブロック図である。
【図２】該バッテリ装置の保護回路に備えられる電流ヒューズとノーマルオープン型熱応動スイッチの素子ユニットを示す外観図である。
【図３】該素子ユニットの上ケースを取り除いた平面図である。
【図４】該素子ユニットに備えられるトリメタル片が反転する前の状態を示す断面図である。
【図５】該トリメタル片が反転した状態を示す断面図である。
【図６】本発明の第２実施形態例に係るバッテリ装置の保護回路を示すブロック図である。
【図７】該バッテリ装置の保護回路に備えられるノーマルクローズ型熱応動スイッチのトリメタル片が反転する前の状態を示す断面図である。
【図８】該トリメタル片が反転した状態を示す断面図である。
【符号の説明】
１  二次電池
２  電池群
３  電流ヒューズ
４  ノーマルオープン型熱応動スイッチ
５  素子ユニット
６  下ケース
７  上ケース
９，１０，１１  金属板
９ｂ  第１の端子
１０ｂ  第３の端子
１１ａ  固定接点
１１ｂ  第２の端子
１２  トリメタル片
１３  可動接点部材
１４  狭小部
１５  ノーマルクローズ型熱応動スイッチ
【図１】
2004311350.tif 000003
【図２】
2004311350.tif 000004
【図３】
2004311350.tif 000005
【図４】
2004311350.tif 000006
【図５】
2004311350.tif 000007
【図６】
2004311350.tif 000008
【図７】
2004311350.tif 000009
【図８】
2004311350.tif 000010